(57)【要約】 【課題】  サムターンの摘が傾倒した時、対向する部材間同士の係合関係により、確実にサムターン軸の回転を阻止することができること。【解決手段】  サムターン用固定筒に固定的に設けられ、かつ、回転阻止部を有する軸支持部材と、この軸支持部材を貫通して水平状態に設けられたサムターン軸と、このサムターン軸と一体的に結合するサムターン摘みと、このサムターン摘みの係合部と回転阻止部の被係合部とが係脱可能に対面するように内端部が軸支持部材に固定され、一方、外端部でサムターン摘みが略水平状態になるように支持する可撓性支持部材とを備え、前記サムターン摘みが可撓性支持部材３５の復元力に抗して傾倒すると、前記係合部３０が前記被係合部１０に係合すること。【選択図】  図５
2005082991.tif 000002
【特許請求の範囲】
【請求項１】
サムターン用固定筒１に固定的に設けられ、かつ、回転阻止部８を有する軸支持部材５と、この軸支持部材５を貫通して水平状態に設けられたサムターン軸１５と、このサムターン軸と一体的に結合するサムターン摘み２０と、このサムターン摘みの係合部３０と前記回転阻止部８の被係合部１０とが係脱可能に対面するように内端部が軸支持部材５に固定され、一方、外端部でサムターン摘み２０が略水平状態になるように支持する可撓性支持部材３５とを備え、前記サムターン摘みが可撓性支持部材３５の復元力に抗して傾倒すると、前記係合部３０が前記被係合部１０に係合することを特徴とする防犯サムターン。
【請求項２】
請求項１に於いて、常態時、回転阻止部８の端面８ａとサムターン摘み２０の端面２２ａとは若干離れ、両部材８．２０は非係合状態であることを特徴とする防犯サムターン。
【請求項３】
請求項１に於いて、サムターン摘み２０の摘み部２３は可撓性を有し、一部に力が加わると材質自体の弾性力に抗して変形することを特徴とする防犯サムターン。
【請求項４】
請求項３に於いて、サムターン摘み２０の可撓性摘み部２３は、硬い芯部分２４ａを有する突起部２４から取り外すことができることを特徴とする防犯サムターン。
【発明の詳細な説明】
【技術分野】
【０００１】
本発明は、建物の扉の錠前に適用する防犯サムターンに関する。
【背景技術】
【０００２】
近年、「サムターン回し」と称される犯罪（窃盗）が発生している。 例えば、ガラス窓部分を有しているドアを備えた家屋の場合に於いて、屋外側からガラス窓の一部を割り、手探りで或いは針金等の道具を利用してサムターンの摘み部の翼状部分の一方に回転力を加えてサムターン摘みを回動する。
そこで、出願人は、このような手口によるサムターン回しを防止するために、特許文献１や特許文献２を日本国特許庁に提案している。
【０００３】
特許文献１は、例えばサムターンの摘み部と、扉の内壁面側に設けられたサムターン軸とを復元力を有する可撓性接続部で一体的に連結し、摘み部の一部に不均等に力が加わった場合に可撓性接続部がサムターン軸の軸芯に対して屈曲し、正常な回転を阻止しようとするものである。つまり、特許文献１に記載の発明は、摘み部を正面側（室内側）からしっかりと指で摘んで捻った場合のみサムターン軸を回転させることができるという利点がある。本発明は、この利点に立脚してさらなる改良発明を提案する。
【特許文献１】特開平１１−３５０８０５号公報
【特許文献２】特開２００３−５６２２０号公報
【発明の開示】
【発明が解決しようとする課題】
【０００４】
本発明の第１の目的は、泥棒が道具等を利用して摘み部に対して外力を加えた場合に於いて、サムターンの摘が傾倒した時、対向する部材間同士の係合関係により、確実にサムターン軸の回転を阻止することができること。第２の目的は、常態時、摘み部を正面側（室内側）からしっかりと指で摘んで捻った場合には、問題なくサムターン軸を回転させることができること。第３の目的は、泥棒が道具を利用しても、簡単かつ正確に摘み部を摘むことができないこと（請求項３）。第４の目的は、外出時、必要に応じてサムターン摘みの「摘み部」を取外すことができること（請求項４）。
【課題を解決するための手段】
【０００５】
本発明の防犯サムターンは、サムターン用固定筒１に固定的に設けられ、かつ、回転阻止部８を有する軸支持部材５と、この軸支持部材５を貫通して水平状態に設けられたサムターン軸１５と、このサムターン軸と一体的に結合するサムターン摘み２０と、このサムターン摘みの係合部３０と前記回転阻止部８の被係合部１０とが係脱可能に対面するように内端部が軸支持部材５に固定され、一方、外端部でサムターン摘み２０が略水平状態になるように支持する可撓性支持部材３５とを備え、前記サムターン摘みが可撓性支持部材３５の復元力に抗して傾倒すると、前記係合部３０が前記被係合部１０に係合することを特徴とする。
【発明の効果】
【０００６】
（１）泥棒が道具等を利用して摘み部に対して外力を加えた場合に於いて、サムターンの摘が傾倒した時、対向する部材間同士の係合関係により、確実にサムターン軸の回転を阻止することができる。
（２）常態時、摘み部を正面側（室内側）からしっかりと指で摘んで捻った場合には、問題なくサムターン軸を回転させることができる。
（３）泥棒が道具を利用しても、簡単かつ正確に摘み部を摘むことができない（請求項３に記載の発明）。
（４）外出時、必要に応じてサムターン摘みの摘み部を取外すことができる（請求項４に記載の発明）。
【発明を実施するための最良の形態】
【０００７】
以下、図面に示す本発明を実施するための最良の形態により、本発明を詳細に説明する。図１乃至図７は、本発明の一実施例を示す各説明図である。
【０００８】
まず、１は扉２の内壁面２ａに突出状態に固定されるサムターン用固定筒で、この固定筒１は、軸支持部材５、サムターン軸１５、可撓性支持部材３５等を内装するハウジングの役割を果たす。固定筒１は、図示しない固着手段を介して扉２に固定される。また、固定筒１には化粧リング３が回動自在に外嵌合する。なお、固定筒１の外周壁と化粧リング３の内周壁との間には、化粧リング用のバネ４が介在している。また扉２の内部には、錠機構を内装した錠箱が設けられている。
【０００９】
次に、５は固定筒１の取付け端部１ａ側の内部に固定的に設けられた軸支持部材で、この軸支持部材５は、Ｃリング、Ｅリング等の後付の移動規制リング６を介して固定筒１内に固定的に装着された垂直の支持板部７と、この支持板部７の一側面中央部に短筒状に突設されたサムターン摘み用回転阻止部８とから成る。
【００１０】
軸支持部材５は、回転阻止部８の端面８ａから支持板部７の端面７ａまで貫通状態の軸孔９を有している。また、軸支持部材５の前記回転阻止部８の外周面には、周方向に所定間隔を有して単数又は複数個の被係合部１０が形成されている。被係合部１０は、本実施例では、回転阻止部８の端面８ａから支持板部７に向かって形成された複数個の切欠部である。なお、細部的事項であるが、軸支持部材５の支持板部７の外周部には、半径方向に複数個の回転防止用の係合切欠７ｂが形成されている。
【００１１】
次に、１５は固定筒１内に軸支持部材５を介して水平状態に設けられたサムターン軸で、このサムターン軸１５は、軸支持部材５の軸孔９に遊嵌合状態で貫通し、後述するサムターン摘みが水平状態の時は回転可能である。サムターン軸１５は、錠機構を構成する図示しないデッドボルトに対しては駆動軸の役割を果たす。
【００１２】
したがって、サムターン摘みの操作力によってサムターン軸１５が解錠方向に回転すると、デッドボルトは該サムターン軸１５の駆動力により、かつ、錠箱内の錠機構を介してフロントから突出する。
【００１３】
ところで、サムターン軸１５は、固定筒１の取付け端部１ａに位置し、かつ、軸支持部材５の支持板部７の端面７ａからサムターンダルマ側に突出する大径の出力部１６と、この出力部１６の一端面から軸支持部材５の軸孔９を貫通して固定筒１の外端部１６の摘み本体２１用開口の中心に向かって延びる細長の挿入軸部１７とから成る。なお、扉２の外壁面には図示しないシリンダー錠が取付けられており、その駆動軸と水平のサムターン軸１５は常態では同一軸線上になるように錠箱に対して配設されている。また、前記サムターン軸１５の＋型状の出力部１６は、図示しないサムターンダルマの嵌合孔に嵌入している。
【００１４】
次に、２０はサムターン軸１５の挿入軸部１７を介して該サムターン軸１５と一体的に結合するサムターン摘みである。このサムターン摘み２０は、金属又は合成樹脂製の摘み本体２１と、この摘み本体２１に固定的に外嵌合し、かつ、軸支持部材５の回転阻止部８の被係合部１０と係脱する係合筒２２とから成る。
【００１５】
前記摘み本体２１は、本実施例では合成樹脂材製であり、可撓性の扁平状摘み部２３と、この摘み部２３の中心部分に内側から硬い芯部分２４ａが挿入圧着され、かつ、鍔状部分２４ｂが摘み部分２３の内側端部から突出する突起部２４と、この突起部２４から軸支持部材５側の方へ向かって延びる横杆状軸嵌合部２５とから成る。
【００１６】
しかして、扁平状摘み部２３は、図７で示すように、室内側から指で摘んで捻ると、材質自体の弾性力に抗して容易に変形するものの、捻れた状態で鍔状突起部２４及び横杆状軸嵌合部２５を施・解錠方向に回すことができる。
【００１７】
扁平状摘み部２３は、硬質ではなく、防犯対策上、捻れるような柔らかさが必要なので、その材質としては、例えば飽和ポリエステル樹脂を用いている。一方、突起部２４は、可撓性摘み部２３に対して芯のある材質であることが必要であることから、例えばポリプロピレンを用いている。本実施例の可撓性摘み部２３は、硬い芯部分２４ａを有する突起部２４から取り外すことができる。
【００１８】
また軸嵌合部２５には、その端面中央部から摘み部２３方向に軸用の嵌合穴２５ａが形成されていると共に、その外周壁に軸方向に複数個の小突起２５ｂが設けられている。
【００１９】
係合筒２２は、前述したように摘み本体２１の軸嵌合部２５に外嵌合するが、本実施例では、軸支持部材５の回転阻止部８の端面８ａと対向する端部に単数又は複数個の係合部３０を有し、該係合部３０は軸支持部材５の回転阻止部８の被係合部１０と係脱する。係合部３０は、本実施例では、被係合部１０が切欠部であることから、係合筒傾倒時、該切欠部に噛み合う（入り込む）ように係合する突起となっている。
【００２０】
また、係合筒２２の外周壁には、前述した小突起２５ｂと係合する複数個の小係止孔３１が形成されている。
【００２１】
次に、３５は内端部が軸支持部材５の回転阻止部８に固定的に装着され、一方、外端部はサムターン摘み２０の係合筒２２に摺接可能に装着された可撓性支持部材である。可撓性支持部材３５の一例として、本実施例ではコイルバネが使用されている。可撓性支持部材３５の長さは、常態では前記係合筒２２と回転阻止部８を足したもの（合計長）よりも若干長い。本実施例では、図１で示すように、可撓性支持部材３５を介して回転阻止部８の被係合部１０に対して係合筒２２の係合部３０を突き合わせるように該係合筒２２を支持した場合に於いて、サムターン摘み２０が傾倒しない常態時には、回転阻止部８の端面８ａと係合筒２２の端面２２ａとの隙間Ａは、例えば０．５ｍｍ程度である。
【００２２】
したがって、サムターン摘み２０は、固定筒１の内部空間に於いて、可撓性支持部材３５の内端部３５ａが固定部材としての軸支持部材５に支持されていることから、常態時、若干の隙間Ａを有して可撓性支持部材３５の外端部３５ｂに支持された格好で略水平常態に浮いている。そして、この時、回転阻止部８の端面８ａと係合筒２２の端面（係合突起の端面）２２ａは離れていることから、回転阻止部８の被係合部１０と係合筒２２の係合部３０は非係合状態である。
【００２３】
上記構成に於いて、常態時、サムターン摘み２０の摘み部２３を指で摘んで捻ると、摘み部２３は変形するものの、サムターン摘み２０の操作力は、サムターン軸１５に伝わり、サムターン摘み２０と共にサムターン軸１５も回転する。これに対して、今仮に摘み部２３の一部に不均等な力が加わり、サムターン摘み２０が可撓性支持部材３５の復元力に抗して傾倒すると、可撓性支持部材３５が隙間Ａを起点に変位する（折れ曲がる）ので、サムターン摘み２０側の係合部３０は軸支持部材５側の被係合部１０に係合し（係合部３０が被係合部１０に噛み込み）、サムターン摘み２０が回転しない。
【００２４】
したがって、サムターン軸１５を回転させることができない。後者の場合、例えば泥棒がサムターン回し用道具（例えば２本の針金）を用いて摘み部２３の一部に不均等な力を加えても、柔らかい摘み部２３が変形するので、サムターン摘み２０を傾倒させることなく、上手に回すことは非常に困難である。
【実施例】
【００２５】
可撓性支持部材３５は、板バネであっても良い。この場合には、板バネの取付け基端部は、軸支持部材５の下部側或いは固定筒１の内壁面の下部側に適宜に配設される。また、常態時、軸支持部材５の回転阻止部８の端面８ａとサムターン摘み２０の端面２２ａとは若干離れているが、実施例で説明した間隙Ａ（０．５ｍｍ）は本発明の本質的要件ではない。例えば回転阻止部８の端面８ａとサムターン摘み２０の端面２２ａとは互いに非係合状態にある摺接関係であっても良い。
【００２６】
要はサムターン摘み２０が可撓性支持部材３５の復元力に抗して傾倒すると、一方の係合部３０が他方の被係合部１０に係合し、可撓性支持部材３５の復元力によりサムターン摘み２０が略水平状態になった場合には、両者の係合関係が解消し、サムターン摘み２０が回転可能になれば良い。
【００２７】
また、サムターン摘み２０は、摘み本体２１と係合筒２２とをそれぞれ別体に成形し、両者を一体的に結合しているが、摘み本体２１と係合筒２２とを、一つの部品で構成しても良い。さらに、固定筒１と軸支持部材５とをそれぞれ別体に成形し、両者を一体的に結合しているが、これも同様であり、固定筒１自体に回転阻止部８を有する軸支持部５を形成しても良い。
【産業上の利用可能性】
【００２８】
本発明は、主に建物の扉の錠前に利用される。
【図面の簡単な説明】
【００２９】
図１乃至図７は本発明の最良の実施例を示す各説明図。
【図１】実施形態の一部概略断面説明図。
【図２】主要部材の分解図。
【図３】主要部材の分解斜視図。
【図４】サムターン摘みの分解説明図。
【図５】サムターン摘みが傾倒した一例を示す説明図。
【図６】図５に於いて、係合部と被係合部の係合関係を示す説明図。
【図７】摘み部の変形状態を示す説明図。
【符号の説明】
【００３０】
1…固定筒、１ａ…取付け端部、１ｂ…外端部、２…扉、５…軸支持部材、６…移動規制リング、７…支持板部、８…回転阻止部、９…軸孔、１０…被係合部、１５…サムターン軸、１６…出力部、１７…挿入軸部、２０…サムターン摘み、２１…摘み本体、２２…係合筒、２３…摘み部、２４…突起部、２５…軸嵌合部、３０…係合部、３５…可撓性支持部材。
【図１】
2005082991.tif 000003
【図２】
2005082991.tif 000004
【図３】
2005082991.tif 000005
【図４】
2005082991.tif 000006
【図５】
2005082991.tif 000007
【図６】
2005082991.tif 000008
【図７】
2005082991.tif 000009